(57)【要約】【課題】電子写真方式の画像形成装置において、原稿読み取り装置内の光学系および書き込み装置内の光学系を、ファンからの冷却風によって効率良く冷却する。【解決手段】流路分岐ダクト５８の空気導入側に吸気ファンを接続し、この流路分岐ダクトに空気吹き出し口として上側出口５９および下側出口６１を分岐形成する。流路分岐ダクト５８の流路分岐部に、この流路分岐部から上側出口と下側出口とに向かって流過する空気の流量を制御する回動自在の板状弁１００を設ける。上ダクトをスキャナフレーム内に収容し、光学箱を上ダクトと下ダクトとで上下に挟んだ形態とする。上側出口を上ダクトに、下側出口を下ダクトにそれぞれ接続する。上ダクトからの冷却風をスキャナフレーム内に供給してこのスキャナフレーム内と光学箱の上方部とを冷却し、下ダクトからの冷却風により、光学箱の下方部を冷却するように構成する。【選択図】　　　　図３
2004061851.tif 000002
【特許請求の範囲】
【請求項１】
スキャナ装置で原稿画像を読み取り、この読み取り画像の潜像を書き込み装置で像担持体上に書き込み、前記潜像を現像装置で現像する画像形成装置において、流路分岐ダクトの空気導入側に吸気ファンを接続し、前記流路分岐ダクトに空気吹き出し口として上側出口および下側出口を分岐形成するとともに、前記流路分岐ダクトの流路分岐部に、該流路分岐部から前記上側出口と前記下側出口とに向かって流過する空気の流量を制御する空気流量制御手段を設け、上ダクトを前記スキャナ装置のスキャナフレーム内に収容し、前記書き込み装置の光学箱を上ダクトと下ダクトとで上下に挟んだ形態とし、前記上側出口を前記上ダクトに、前記下側出口を前記下ダクトにそれぞれ接続し、前記上ダクトからの冷却風を前記スキャナフレーム内に供給して該スキャナフレーム内と、前記光学箱の上方部とを冷却し、前記下ダクトからの冷却風により、前記光学箱の下方部を冷却するようにしたことを特徴とする画像形成装置における冷却風供給装置。
【請求項２】
前記上ダクトに下方に向いてほぼ全面的に開放された第１の開口を形成するとともに、該開口を前記スキャナフレームの底板で気密状態に塞ぎ、前記下ダクトに上方に向いてほぼ全面的に開放された第２の開口を形成するとともに、該開口を前記光学箱の底板で気密状態に塞ぎ、該光学箱に上方に向いて全面的に開放された第３の開口を形成するとともに、該開口を前記スキャナフレームの底板で気密状態に塞いだことを特徴とする請求項１に記載の画像形成装置における冷却風供給装置。
【請求項３】
前記スキャナフレーム内に設られたランプレギュレータの直近に、前記上ダクトの出口を配置して、該出口からの冷却風を直接、前記ランプレギュレータに吹きつけ、前記光学箱内のポリゴンミラーを回転駆動するためのポリゴンモータを前記下ダクト内に設け、該下ダクト内を流過する冷却風を直接ポリゴンモータに吹きつけるようにしたことを特徴とする請求項２に記載の画像形成装置における冷却風供給装置。
【請求項４】
前記流路分岐ダクトの空気導入側を、単一の吸気ファンの冷却風供給口に接続したことを特徴とする請求項１〜３のいずれかに記載の画像形成装置における冷却風供給装置。
【請求項５】
前記空気流量制御手段として、動作が制御手段で制御されるアクチュエータにより回動する板状弁を設けたことを特徴とする請求項１〜４のいずれかに記載の画像形成装置における冷却風供給装置。
【請求項６】
前記スキャナフレーム内に設けられたスキャナランプの使用状況を制御手段でモニターし、前記スキャナランプが使用されている間は、前記アクチュエータの動作を前記制御手段で制御することにより、スキャナランプが使用されていないときに比べて、スキャナフレーム内への空気供給量を増大させることを特徴とする請求項１〜５のいずれかに記載の画像形成装置における冷却風供給装置。
【請求項７】
前記スキャナフレーム内に前記スキャナランプ近傍の空気温度を検知するスキャナランプ部温度センサと、前記下ダクト内に前記ポリゴンモータ近傍の空気温度を検知するポリゴンモータ部温度センサとを設け、これらの温度センサによる検知データに基づいて前記スキャナフレーム内および、前記下ダクトへの空気供給量を適宜に制御することを特徴とする請求項１〜５のいずれかに記載の画像形成装置における冷却風供給装置。
【請求項８】
前記吸気ファンとして、駆動モータの制御により風量が可変であるものを設けたことを特徴とする請求項１〜７のいずれかに記載の画像形成装置における冷却風供給装置。
【発明の詳細な説明】
【０００１】
【発明の属する技術分野】
本発明は複写機、ファクシミリ、プリンタ、これらの複合機など、電子写真方式の画像形成装置における空冷構造に関し、より詳しくは、原稿画像を原稿読み取り装置で読み取り、この読み取り画像を書き込み装置で像担持体上に潜像として書き込み、該潜像を現像装置でトナー像に現像し、このトナー像を転写装置で記録紙（転写紙）に転写する画像形成装置における冷却風供給装置に関するものである。
【０００２】
【従来の技術】
従来の画像形成装置としてデジタル式複写機を例にとり、その構成および作用について説明する。図６はデジタル複写機の全体構造を示す断面図、図７はこの複写機に設けられたスキャナ装置（画像読み取り装置）の断面図、図８はこの複写機に設けられた書き込み装置（レーザービーム走査装置）の斜視図である。図６に示す複写機は原稿読み取り装置（スキャナ装置）１１、書き込み装置（レーザービーム走査装置）７０Ａを有するプリンタ部１２および、自動原稿送り装置１３を備えている。自動原稿送り装置１３は、これにセットされた原稿を１枚ずつ搬送してコンタクトガラス１４上にセットし、複写終了後のコンタクトガラス１４上の原稿を排出する。
【０００３】
原稿読み取り装置１１は、図７にも示すように第１キャリッジＡおよび第２キャリッジＢを備えている。第１キャリッジＡには、照明ランプ１５および反射鏡１６からなる光源と、第１ミラー１７とが装備され、第２キャリッジＢには第２ミラー１８および第３ミラー１９が装備されている。
【０００４】
原稿読み取り時には、第１キャリッジＡが一定の速度で往動して第２キャリッジＢが第一キャリッジＡの１／２の速度で第１キャリッジＡに追従して往動することにより、コンタクトガラス１４上の原稿が光学的に走査される。この原稿は照明ランプ１５および反射鏡１６により照明され、その反射光像が第１ミラー１７、第２ミラー１８、第３ミラー１９、色フィルタ２０を介してレンズ２１によりＣＣＤセンサ２２上に結像される。ＣＣＤセンサ２２は、結像された原稿の反射光像を光電変換してアナログ画像信号を出力し、これにより原稿の読み取りが行われる。そして、画像の読み取り終了後、第１キャリッジＡと第２キャリッジＢはホームポジション位置に復動する。
【０００５】
ＣＣＤセンサ２２からのアナログ画像信号は、アナログ／デジタル変換器によりデジタル画像信号に変換され、画像処理板２３により種々の画像処理（２値化、多値化、階調処理、変倍処理、編集処理など）が施される。なお、ＣＣＤセンサとして、それぞれＲ（レッド）、Ｇ（グリーン）、Ｂ（ブルー）のフィルタを備えた３ラインのＣＣＤを用いることによりカラー原稿を読み取ることも可能となる。
【０００６】
プリンタ部１２において感光体ドラム（像担持体）２５は、複写動作時に図略の駆動部により回転駆動され、帯電装置２６により均一に帯電されてから、上記画像処理板２３で画像処理が施されたデジタル画像信号が、図略の半導体駆動板に送られ、上記デジタル画像信号による画像露光が書き込み装置７０Ａにより行われて感光体ドラム２５上に静電潜像が形成される。さらに、この感光体ドラム上の静電潜像が現像装置２８によりトナー像に現像される。
【０００７】
給紙装置３３〜３５のうち選択されたものから、図略の転写紙がレジストローラ３６へ給紙される。この転写紙は、このレジストローラ３６から感光体ドラム２５上の画像とタイミングを合わせ送り出され、感光体ドラム２５上に形成されたトナー像は、転写装置３０により転写紙上に転写される。この転写紙は、分離装置３１により感光体ドラム２５から分離されて搬送装置３７により搬送され、上記転写画像が定着装置３８で定着された後、トレイ３９上に排出される。感光体ドラム２５は、転写紙分離後にクリーニング装置３２によりクリーニングされて残留トナーが除去される。
【０００８】
書き込み装置７０Ａでは、図８に示すように半導体レーザー装置４０内の半導体レーザーより発せられたレーザービームが半導体レーザー装置４０内のコリメートレンズにより平行な光束に変えられ、半導体レーザー装置４０に備えられたアパーチャを通過することで一定形状の光束に整形される。この光束はシリンドリカルレンズ４０ａにより副走査方向に圧縮されてポリゴンミラー４２上に入射する。なお、ポリゴンミラー４２は正確な多角形をしており、ポリゴンモータ４１（図６）により一定の方向へ一定速度で回転駆動される。ポリゴンミラー４２の回転速度は感光体ドラム２５の回転速度と、書き込み装置７０Ａの書き込み密度と、ポリゴンミラー４２の面数とにより決定される。
【０００９】
シリンドリカルレンズ４０ａからポリゴンミラー４２に入射されたレーザービームは、ポリゴンミラーの反射面により偏向されてｆθレンズ４３に入射する。ｆθレンズ４３は、ポリゴンミラー４２からの角速度一定の走査光が感光体ドラム２５上で等速度走査されるように変換する。ｆθレンズ４３からのレーザービームは、反射鏡４５および防塵ガラス４６を介して感光体ドラム２５上に結像される。また、ｆθレンズ４３は面倒れ補正機能も有している。ｆθレンズ４３を通過したレーザービームは、画像領域外で同期検知ミラー４７により反射されて同期検知センサ４８に導かれる。そして、同期検知センサ４８の検知出力により主走査方向の頭出しの基準となる同期信号が得られる。
【００１０】
さらに、原稿読み取り装置１１の一端部下方部位に吸気ファン２４と、プリンタ部１２内の現像装置２８近傍位置にブロワ９０とが配備されている。外装カバーを介して吸気ファン２４で吸入された外気は、原稿読み取り装置１１内を画像処理板２３に向かって流れた後、この複写機外に排出される。これにより、原稿読み取り装置１１内の光学系（光学部品）が冷却される。また、外装カバーを介してブロワ９０で吸入された外気は、感光体ドラム２５まわりを冷却した後、ポリゴンモータ４１および、書き込み装置７０Ａ内の光学系を冷却する。
【００１１】
【発明が解決しようとする課題】
しかしながら、上記画像形成装置では、
（１）冷却風供給手段として、吸気ファン２４とブロワ９０とを設けているため全体構造が複雑になる、
（２）ブロワ９０は、主にしてポリゴンモータ４１およびポリゴンミラー４２を冷却するものであるため、書き込み装置７０Ａのｆθレンズ４３や、反射鏡４５等の走査光学部品を充分に冷却することが難しく、画像の歪みなどの欠陥が発生しやすい、
という問題があった。
【００１２】
本発明は上記問題点に鑑みなされたもので、その目的は、原稿読み取り装置（スキャナ装置）と書き込み装置とを備え、像担持体上に潜像を書き込み装置で書き込み、上記潜像を現像装置で現像する画像形成装置において、これら原稿読み取り装置内の光学系および書き込み装置内の光学系を、ファンからの冷却風によって効率良く冷却することにより、これら光学系の膨張を防止し、もって歪みのない画像を安定して形成することにある。
【００１３】
【課題を解決するための手段】
以下本発明の構成を、添付図面（主に図１〜図３）に記載された符号を併記して説明する。
【００１４】
請求項１に係る発明は、スキャナ装置で原稿画像を読み取り、この読み取り画像の潜像を書き込み装置で像担持体上に書き込み、前記潜像を現像装置で現像する画像形成装置において、流路分岐ダクト５８の空気導入側に吸気ファン６０を接続し、前記流路分岐ダクト５８に空気吹き出し口として上側出口５９および下側出口６１を分岐形成するとともに、前記流路分岐ダクトの流路分岐部に、該流路分岐部から前記上側出口と前記下側出口とに向かって流過する空気の流量を制御する空気流量制御手段を設け、上ダクト５０を前記スキャナ装置５６のスキャナフレーム５６ａ内に収容し、前記書き込み装置７０の光学箱７１を上ダクト５０と下ダクト５２とで上下に挟んだ形態とし、前記上側出口５９を前記上ダクト５０に、前記下側出口６１を前記下ダクト５２にそれぞれ接続し、前記上ダクト５０からの冷却風を前記スキャナフレーム５６ａ内に供給して該スキャナフレーム５６ａ内と、前記光学箱７１の上方部とを冷却し、前記下ダクト５２からの冷却風により、前記光学箱７１の下方部を冷却するようにしたことを特徴とする画像形成装置における冷却風供給装置である。
【００１５】
請求項１の発明では、吸気ファン６０で吸引された外気（冷却風）が流路分岐ダクト５８に流入し、上ダクト５０および下ダクト５２への供給空気流量が、空気流量制御手段によって制御される。この場合、吸気ファン６０からの外気を上ダクト５０、下ダクト５２の一方にのみ供給することもできる。いずれにしても、画像形成装置の運転状況に応じて、スキャナフレーム５６ａ内や光学箱７１内などが好ましい温度条件となるように、上ダクト５０および下ダクト５２への供給空気流量が制御される。また請求項１の発明では、上ダクト５０からの冷却風により、スキャナフレーム５６ａ内と光学箱７１の上方部とが冷却され、下ダクト５２からの冷却風により、光学箱７１の下方部が冷却される。
【００１６】
請求項２に係る発明は、前記上ダクト５０に下方に向いてほぼ全面的に開放された第１の開口５０ａを形成するとともに、該開口５０ａを前記スキャナフレーム５６ａの底板５６ｂで気密状態に塞ぎ、前記下ダクト５２に上方に向いてほぼ全面的に開放された第２の開口６６を形成するとともに、該開口６６を前記光学箱７１の底板７１ａで気密状態に塞ぎ、該光学箱７１に上方に向いて全面的に開放された第３の開口７２を形成するとともに、該開口７２を前記スキャナフレーム５６ａの底板５６ｂで気密状態に塞いだことを特徴とする請求項１に記載の画像形成装置における冷却風供給装置である。
【００１７】
請求項２の発明では、上記のように第１〜第３の開口を形成したので、上ダクト５０および下ダクト５２を流過する冷却風による光学箱７１内の冷却効率が、請求項１の発明に比べて向上する。
【００１８】
請求項３に係る発明は、前記スキャナフレーム５６ａ内に設られたランプレギュレータ６８（スキャナ装置の光源であるスキャナランプを制御するための制御手段）の直近に、前記上ダクト５０の出口５５を配置して、該出口からの冷却風を直接、前記ランプレギュレータに吹きつけ、前記光学箱７１内のポリゴンミラー４２を回転駆動するためのポリゴンモータ４１を前記下ダクト５２内に設け、該下ダクト５２内を流過する冷却風を直接ポリゴンモータ４１に吹きつけるようにしたことを特徴とする請求項２に記載の画像形成装置における冷却風供給装置である。本発明では、ランプレギュレータ６８および、ポリゴンモータ４１の冷却効率が著しく高まる。
【００１９】
請求項４に係る発明は、前記流路分岐ダクト５８の空気導入側を、単一の吸気ファン６０の冷却風供給口に接続したことを特徴とする請求項１〜３のいずれかに記載の画像形成装置における冷却風供給装置である。
【００２０】
請求項５に係る発明は、前記空気流量制御手段として、動作が制御手段で制御されるアクチュエータにより回動する板状弁１００を設けたことを特徴とする請求項１〜４のいずれかに記載の画像形成装置における冷却風供給装置である。本発明では、板状弁１００の回動角度により、上ダクト５０および下ダクト５２への供給空気流量が制御される。
【００２１】
請求項６に係る発明は、前記スキャナフレーム５６ａ内に設けられたスキャナランプの使用状況を制御手段でモニターし、前記スキャナランプが使用されている間は、前記アクチュエータの動作を前記制御手段で制御することにより、スキャナランプが使用されていないときに比べて、スキャナフレーム５６ａ内への空気供給量を増大させることを特徴とする請求項１〜５のいずれかに記載の画像形成装置における冷却風供給装置である。本発明では前記制御手段により、スキャナフレーム５６ａ内が適正な温度に的確に冷却される。
【００２２】
請求項７に係る発明は、前記スキャナフレーム５６ａ内に前記スキャナランプ近傍の空気温度を検知するスキャナランプ部温度センサ３０１と、前記下ダクト５２内に前記ポリゴンモータ４１近傍の空気温度を検知するポリゴンモータ部温度センサ３０２とを設け、これらの温度センサによる検知データに基づいて前記上ダクト５０への（すなわち、スキャナフレーム５６ａ内への）および、前記下ダクト５２への空気供給量を適宜に制御することを特徴とする請求項１〜５のいずれかに記載の画像形成装置における冷却風供給装置である。本発明では、スキャナランプおよびその近傍の温度、ならびにポリゴンモータ４１およびその近傍の温度が適正値に、より的確に制御される。
【００２３】
請求項８に係る発明は、前記吸気ファンとして、駆動モータの制御により風量が可変であるものを設けたことを特徴とする請求項１〜７のいずれかに記載の画像形成装置における冷却風供給装置である。本発明では、上ダクト５０および下ダクト５２への冷却空気流量の配分比率を所定値に維持したまま、これら上下ダクトへの冷却空気流量の絶対値を制御することができる。
【００２４】
【発明の実施の形態】
以下、本発明の実施の形態を、図面をもとに説明する。図１は冷却風供給装置を示す分解斜視図、図２はその要部構造を示す断面図、図３はこの冷却風供給装置を構成する流路分岐ダクトの断面図である。
【００２５】
図１、図２に示すように、複写機内に冷却空気供給源として、ファンユニット８０を設ける。このファンユニット８０は、単一のファン（吸気ファン）６０と、空気導入側をこのファン６０に接続した流路分岐ダクト５８とで構成する。この流路分岐ダクト５８には、空気吹き出し口として上側出口５９および下側出口６１を形成する。また、図３に示すように、この流路分岐ダクト５８では上側出口５９、下側出口６１への流路分岐部に、これらの出口に向かって流過する空気の流量を制御する空気流量制御手段を設ける。この空気流量制御手段としては、動作が制御手段で制御されるアクチュエータ（いずれも図略）により軸１０１を中心に回動する板状弁１００を設ける。
【００２６】
この板状弁１００は、ソレノイドとスプリングとの組み合わせや、ステッピングモータ等からなるアクチュエータ（いずれも図略）により、軸１０１を中心に図中の矢印ａ，ｂの向きに回動する。そして、板状弁１００がａ方向に回動したときには上ダクト５０への流量が増し、下ダクト５２への流量が減る。板状弁１００がｂ方向に回動したときには、これと逆になる。図３において、符号５８Ａは上ダクト５０への空気流を、符号５８Ｂは下ダクト５２への空気流をそれぞれ示している。
【００２７】
図２において、符号５６はスキャナ装置（原稿読み取り装置）、符号５６ａはスキャナフレーム、符号７０は書き込み装置、符号７１はこの書き込み装置を構成する光学箱（光学系を収容する箱体）である。光学箱７１を上ダクト５０と下ダクト５２とで上下方向に挟んだ形態とする。上ダクト５０には空気の流通口として横向きの入り口５４と、上向きの出口５５とを形成し、下ダクト５２にも、空気の流通口として横向きの入り口６４と、下向きの出口６５とを形成する。
【００２８】
上ダクト５０に、下方に向いてほぼ全面的に開放された第１の開口５０ａを形成するとともに、この開口５０ａを、スキャナフレーム５６ａの底板５６ｂ（スキャナベース部）で気密状態に塞ぐ。下ダクト５２に、上方に向いてほぼ全面的に開放された第２の開口６６を形成するとともに、この開口６６を、光学箱７１の底板７１ａで気密状態に塞ぐ。さらに光学箱７１に、上方に向いて全面的に開放された第３の開口７２を形成するとともに、この開口７２をスキャナフレーム５６ａの底板５６ｂで気密状態に塞ぐ。この場合、開口５０ａを上記底板５６ｂで気密状態に塞ぐには、上ダクト５０の開口５０ａ形成部位と底板５６ｂとの間にシート状パッキン（たとえばシート状スポンジ）を挿入し、上ダクト５０とスキャナフレーム５６ａとを、ネジ止めなどにより結合すれば良い。他の気密構造も同様とする。このように、上ダクト５０を内蔵したスキャナフレーム５６ａの底板５６ｂ直下に、かつ、この底板に接触させて光学箱７１を配置し、この光学箱７１の底板７１ａ直下に、かつ、この底板に接触させて下ダクト５２を設ける。
【００２９】
光学箱７１内にはポリゴンミラー４２、ｆθレンズ４３等からなる光学系を配置し、下ダクト５２内にポリゴンモータ４１を配置する。また、この光学箱７１は、２つの幅広な構造体フレーム４７Ａ，４８Ｂ上にネジ止めで固定する。これらの構造体フレームは、図略の複写機本体内に対向配備した図略の側板間に平行に掛け渡して設ける。
【００３０】
スキャナフレーム５６ａも複写機本体内に配備した図略の構造体で支持するとともに、このスキャナフレーム５６ａ内に図略の光源（スキャナランプ）、複数のミラー、結像レンズ、イメージセンサ（ＣＣＤ等）など（いずれも図略）を設ける。下ダクト５２は、光学箱７１を支持する一方の構造体フレーム４７Ａと、幅狭な構造体フレーム６７との双方上にネジ止めにより固定する。
【００３１】
さらに、スキャナフレーム５６ａに、上ダクト５０の四角筒状の入り口５４と一致する部位に横孔５７をあける。スキャナフレーム５６内に設けた上ダクト５０の入り口５４を、上記横孔５７から突出させ、この入り口５４にファンユニット８０の上側出口５９を接続するとともに、入り口５４外周面と横孔５７内周面との隙間にシール材を挿入する。下ダクト５２の四角筒状の入り口６４に、ファンユニット８０の下側出口６１をシール状態で連結する。図２において符号６８はランプレギュレータ（光源ランプの制御手段）である。
【００３２】
つぎに、この冷却風供給装置の作用について説明する。ファン６０の冷却風は流路分岐ダクト５８に流入し、その上側出口５９と下側出口６１により、上部気流と下部気流とに分割される。上部気流は、入り口５４から上ダクト５０内に導入され、この上ダクト５０内を矢印Ｒ１で示す流路に沿って流過する。この間にこの冷却風はスキャナフレーム５６ａ内と、光学箱７１の上方部とを冷却する。また、上ダクト５０の出口５５から排出される冷却風は、スキャナ装置５６のランプレギュレータ６８、スキャナランプ、コンタクトガラス等（いずれも図略）を冷却する。なお、コンタクトガラスは、スキャナフレーム５６ａの天板直上に配備されている。
【００３３】
一方、下部気流は入り口６４から下ダクト５２内に導入され、この下ダクト内を矢印Ｒ２で示す流路に沿って流過する。この間にこの冷却風は光学箱７１の下方部、ポリゴンモータ４１等を冷却する。下ダクト５２を通過した冷却風は出口６５から排出され、排紙装置、転写紙等（いずれも図略）を冷却する。
【００３４】
上ダクト５０への冷却風および、下ダクト５２への冷却風は光学箱７１、したがって書き込み装置７０の冷却に関しては同一の機能を果たすが、流路分岐ダクト５８通過後の目的が異なるため、画像形成装置の使用状況によって、上下ダクト５０，５２への流量を可変とすることで全体的に、より効率的な冷却を行うことができ、画像形成装置の稼働状態を良好に保つことができる。また、上記構成とすることで、これら上下のダクトに個別に専用ファンを設け、独立した制御を行う複雑な構造とする必要性がなくなり、単一の吸気ファンを用いて、効率的な冷却を行うことができる。さらに、上記した空気流量制御用の板状弁１００を、空気流路に沿って複数配備し、複数段階で制御するように構成することで、よりきめ細かい正確な流量バランス制御を行うことが可能となり、効率の良い冷却が実現できる。
【００３５】
本実施の形態では、上ダクト５０通過後の冷却風は、スキャナランプ、ランプレギュレータ、コンタクトガラス等の冷却を行うので、スキャナ装置５６が頻繁に使用されている場合には、これらの部分の温度上昇を抑えるため、上ダクト５０への冷却風量を多くすることで、吸気ファン６０の駆動モータの出力を効率良く活用することができる。したがって、上記スキャナランプの使用状況をモニターし、その結果により、上記板状弁１００の位置制御（回動角度の制御）を行うことが好ましい。
【００３６】
すなわち、スキャナフレーム５６ａ内に設けられたスキャナランプの使用状況を制御手段でモニターし、スキャナランプが使用されている間は、板状弁１００のアクチュエータの動作を上記制御手段で制御することにより、スキャナランプが使用されていないときに比べて、スキャナフレーム５６ａ内への空気供給量を増大させることが好ましい。
【００３７】
また、スキャナフレーム５６ａ内にスキャナランプ近傍の空気温度を検知するスキャナランプ部温度センサ３０１と、下ダクト５２内にポリゴンモータ近傍の空気温度を検知するポリゴンモータ部温度センサ３０２とを設け、これらの温度センサによる検知データに基づいてスキャナフレーム５６ａ内および、下ダクト５２への空気供給量を適宜に制御することが望ましい。以下、これらについて具体的に説明する。
【００３８】
第２の実施の形態
図４は上記板状弁１００の制御装置の一例を示すブロック図である。この図に示すように、スキャナランプ２０２と、スキャナモータ２０３（図６に示す第１、第２キャリッジＡ，Ｂを駆動するためのモータ）とを、スキャナ制御手段２０１を介してメイン制御手段２００に接続する。また、吸気ファン６０の駆動モータおよび、板状弁１００回動用のアクチュエータ１０２を上記メイン制御手段２００に接続する。そして、スキャナランプ２０２またはスキャナモータ２０３の動作状況を、スキャナ制御手段２０１を介してメイン制御手段２００でモニターし、この動作状況に応じて上記アクチュエータ１０２の制御を行う。このアクチュエータ１０２としては、ソレノイドとスプリングの組み合わせ、ステッピングモータなど、種々のものが採用できる。
【００３９】
第３の実施の形態
図５は上記板状弁１００の制御装置の別例を示すブロック図である。この図に示すように、スキャナランプ２０２の配置近傍部にスキャナランプ部温度センサ３０１を、ポリゴンモータ４１の配置近傍部にポリゴンモータ部温度センサ３０２をそれぞれ配備し、これら温度センサの出力をメイン制御手段３００でモニターし、上記アクチュエータ１０２の制御に反映させて上記板状弁１００の回動角度を調整する。このような制御装置によれば精度が高く、かつきめの細かい風量制御が可能となる。
【００４０】
また、駆動モータの出力制御により吸気ファン６０の風量を可変とすれば、不必要に多くの冷却風を供給する不具合がなくなり、エネルギーの節約と騒音・振動等の低減に寄与することができる。すなわち例えば、スキャナが単独で使用されるようなモードではプリンタが使用されないため、殆どの冷却風を上ダクト５０側に導くように、板状弁１００の回動角度を制御することにより、駆動モータの出力を、通常時よりも低く抑えることができる。また逆に（１）リピート回数の多いモード（１原稿に対してのコピー枚数が多い場合）、（２）プリンタとして動作している場合、（３）ファクシミリ装置の出力として動作している場合等では、スキャナランプ部を冷却する必要が殆どないため、冷却風を下ダクト５２側に導くように板状弁１００の回動角度を制御することで、同様に駆動モータの出力を低く抑えることが可能となる。このように、画像形成装置の動作モードに応じて駆動モータの出力制御を適宜に行うことによって、より効率の高い冷却が可能となる。
【００４１】
【発明の効果】
以上の説明で明らかなように、本発明では、スキャナ装置と書き込み装置とを備え、像担持体上に潜像を書き込み装置で書き込み、上記潜像を現像装置で現像する画像形成装置において、構成簡単な冷却風供給装置を配備したことにより、これらスキャナ装置内の光学系および、および書き込み装置内の光学系が、ファンからの冷却風によって効率良く冷却される。その結果、これら光学系の膨張が的確に防止され、歪みのない画像が安定して形成される。発明の効果を請求項別に記載すると以下のとおりである。
【００４２】
（１）請求項１の発明による効果
上ダクトおよび下ダクトへの冷却風供給流量を、画像形成装置の運転状況に応じて制御し、スキャナフレーム内や光学箱内などを適正な温度範囲内に維持することができるので、歪みのない画像を安定して形成することが可能となる。
【００４３】
（２）請求項２，３，４の発明による効果
請求項２の発明によれば、上ダクトおよび下ダクトを流過する冷却風による光学箱内の冷却効率が、請求項１の発明に比べて向上する。請求項３の発明によれば、ランプレギュレータおよびポリゴンモータの冷却効率が著しく高まる。請求項４の発明では、単一の吸気ファンにより請求項１〜３の発明による効果が得られる。
【００４４】
（３）請求項５〜８の発明による効果
請求項５の発明では、板状弁の回動角度により、上ダクトおよび下ダクトへの冷却風供給流量を制御することができる。請求項６の発明では、所定の制御手段により、スキャナフレーム内を適正温度に的確に冷却することができる。請求項７の発明によれば、スキャナランプとその近傍の温度、およびポリゴンモータとその近傍の温度をより的確に、適正値に制御することができる。請求項８の発明によれば、上ダクトおよび下ダクトへの冷却風供給流量の配分比率を所定値に維持したまま、これら上下ダクトへの冷却空気流量の絶対値を制御することができる。
【図面の簡単な説明】
【図１】本発明の第１の実施の形態に係る冷却風供給装置を示す分解斜視図である。
【図２】図１の要部を示す断面図である。
【図３】図１の冷却風供給装置を構成する流路分岐ダクトの断面図である。
【図４】本発明の第２の実施の形態に係るもので、図３の流路分岐ダクト内に設けられた板状弁の制御装置の一例を示すブロック図である。
【図５】本発明の第３の実施の形態に係るもので、図３の流路分岐ダクト内に設けられた板状弁の制御装置の別例を示すブロック図である。
【図６】従来のデジタル複写機の全体構造を示す断面図である。
【図７】図６のデジタル複写機に設けられたスキャナ装置（画像読み取り装置）の断面図である。
【図８】図６のデジタル複写機に設けられた書き込み装置（レーザービーム走査装置）の斜視図である。
【符号の説明】
１１：スキャナ装置（原稿読み取り装置）
１２：プリンタ部
１３：自動原稿送り装置
１４：コンタクトガラス
１５：照明ランプ
１６：反射鏡
１７：第１ミラー
１８：第２ミラー
１９：第３ミラー
２０：色フィルタ
２１：レンズ
２２：ＣＣＤセンサ
２３：画像処理板
２４：吸気ファン
２５：感光体ドラム（像担持体）
２６：帯電装置
２８：現像装置
３０：転写装置
３１：分離装置
３２：クリーニング装置
３３〜３５：給紙装置
３６：レジストローラ
３７：搬送装置
３８：定着装置
３９：トレイ
４０：半導体レーザー装置
４０ａ：シリンドリカルレンズ
４１：ポリゴンモータ
４２：ポリゴンミラー
４３：ｆθレンズ
４５：反射鏡
４６：防塵ガラス
４７：同期検知ミラー
４７Ａ：構造体フレーム
４８：同期検知センサ
４８Ａ：構造体フレーム
５０：上ダクト
５０ａ：第１の開口
５２：下ダクト
５４：入り口
５５：出口
５６：スキャナ装置（原稿読み取り装置）
５６ａ：スキャナフレーム
５６ｂ：底板（スキャナベース部）
５７：横孔
５８：流路分岐ダクト
５８Ａ：上ダクトへの空気流
５８Ｂ：下ダクトへの空気流
５９：上側出口
６０：吸気ファン
６１：下側出口
６４：入り口
６５：出口
６６：第２の開口
６７：構造体フレーム
６８：ランプレギュレータ（光源ランプの制御手段）
７０：書き込み装置
７０Ａ：書き込み装置（レーザービーム走査装置）
７１：光学箱
７１ａ：底板
７２：第３の開口
８０：ファンユニット
９０：ブロワ
１００：板状弁
１０１：軸
１０２：アクチュエータ
２００：メイン制御手段
２０１：スキャナ制御手段
２０２：スキャナランプ
２０３：スキャナモータ
３００：メイン制御手段
３０１：スキャナランプ部温度センサ
３０２：ポリゴンモータ部温度センサ
Ａ：第１キャリッジ
Ｂ：第２キャリッジ
Ｒ１：流路
Ｒ２：流路
【図１】
2004061851.tif 000003
【図２】
2004061851.tif 000004
【図３】
2004061851.tif 000005
【図４】
2004061851.tif 000006
【図５】
2004061851.tif 000007
【図６】
2004061851.tif 000008
【図７】
2004061851.tif 000009
【図８】
2004061851.tif 000010